(57)【要約】ヘッドマウントディスプレイは、装着部と表示部とセンサユニットと制御ユニットとを具備する。上記装着部は、ユーザの頭部に装着可能に構成されている。上記表示部は、上記装着部に設けられ、ユーザに実空間の視野を提供可能である。上記センサユニットは、上記表示部の周縁部に設けられ、ユーザの動作に伴って近接又は接触する当該ユーザの手を検出可能なセンサを有し、当該センサの検出結果に応じた出力を行う。上記制御ユニットは、上記視野に画像を表示し、センサユニットの出力の変化に基づいて上記画像の表示状態を変化させる。この構成により、ヘッドマウントディスプレイはユーザの自然な動作により直感的な操作が可能となる。
2014128809.tif 000002
【特許請求の範囲】
【請求項１】
ユーザの頭部に装着可能に構成された装着部と、
前記装着部に設けられ、ユーザに実空間の視野を提供可能な表示部と、
前記表示部の周縁部に設けられ、ユーザの動作に伴って近接又は接触する当該ユーザの手を検出可能なセンサを有し、当該センサの検出結果に応じた出力を行うセンサユニットと、
前記視野に画像を表示し、センサユニットの出力の変化に基づいて前記画像の表示状態を変化させる制御ユニットと
を具備するヘッドマウントディスプレイ。
【請求項２】
請求項１に記載のヘッドマウントディスプレイであって、
前記制御ユニットは、前記センサユニットの検出結果に基づいて前記画像を強調させる
ヘッドマウントディスプレイ。
【請求項３】
請求項２に記載のヘッドマウントディスプレイであって、
前記制御ユニットは、前記センサユニットの検出結果に基づいて前記画像を拡大する
ヘッドマウントディスプレイ。
【請求項４】
請求項２に記載のヘッドマウントディスプレイであって、
前記制御ユニットは、前記センサユニットの検出結果に基づいて前記視野における前記画像のコントラストを高める
ヘッドマウントディスプレイ。
【請求項５】
請求項４に記載のヘッドマウントディスプレイであって、
前記制御ユニットは、前記画像の色を変化させることにより前記視野における前記画像のコントラストを高める
ヘッドマウントディスプレイ。
【請求項６】
請求項２に記載のヘッドマウントディスプレイであって、
前記制御ユニットは、優先度がそれぞれ付与された複数の画像を前記視野に表示可能であり、前記センサユニットの検出結果に基づいて優先度の高い前記画像を優先順位の低い前記画像よりも強調させる
ヘッドマウントディスプレイ。
【請求項７】
請求項１に記載のヘッドマウントディスプレイであって、
前記制御ユニットは、前記センサユニットの検出結果に基づいて前記視野に表示する画像の情報量を増加させる
ヘッドマウントディスプレイ。
【請求項８】
請求項６に記載のヘッドマウントディスプレイであって、
前記制御ユニットは、各画像を縮小し、前記視野に表示する画像の情報量を増加させる
ヘッドマウントディスプレイ。
【請求項９】
請求項１に記載のヘッドマウントディスプレイであって、
前記表示部は、可視光透過率を変更可能な光学フィルタを有し、
前記制御ユニットは、前記センサユニットの検出結果に基づいて前記光学フィルタの可視光透過率を低下させる
ヘッドマウントディスプレイ。
【請求項１０】
請求項９に記載のヘッドマウントディスプレイであって、
前記制御ユニットは、前記センサユニットの検出結果に基づいて前記光学フィルタに可視光を遮断させる
ヘッドマウントディスプレイ。
【請求項１１】
請求項１に記載のヘッドマウントディスプレイであって、
前記センサユニットは、複数のセンサを有し、前記複数のセンサにおけるユーザの手の検出状態に応じた出力を行い、
前記制御ユニットは、前記複数のセンサがいずれもユーザの手を検出していない基準モードにおける前記画像の表示状態を、前記基準モードからの前記センサユニットの出力の変化に基づいて変化させる
ヘッドマウントディスプレイ。
【請求項１２】
請求項１１に記載のヘッドマウントディスプレイであって、
前記センサユニットは、前記検出状態が所定のパターンになる強調モードのとき、前記基準モードよりも前記画像を強調させる
ヘッドマウントディスプレイ。
【請求項１３】
請求項１２に記載のヘッドマウントディスプレイであって、
前記複数のセンサには、前記装着部を装着したユーザの両目の外側にそれぞれある一対のセンサが含まれる
ヘッドマウントディスプレイ。
【請求項１４】
請求項１３に記載のヘッドマウントディスプレイであって、
前記制御ユニットは、前記一対のセンサのいずれもユーザの手を検出していない第１の状態と、前記一対のセンサのいずれか一方がユーザの手を検出している第２の状態と、前記一対のセンサのいずれもユーザの手を検出している第３の状態とにおいて、前記第１の状態、前記第２の状態、前記第３の状態の順に、前記画像の強調の度合いを高くする
ヘッドマウントディスプレイ。
【請求項１５】
請求項１１に記載のヘッドマウントディスプレイであって、
前記制御ユニットは、前記検出状態が所定のパターンになる詳細モードのとき、前記基準モードよりも前記視野に表示する画像の情報量を増加させる
ヘッドマウントディスプレイ。
【請求項１６】
請求項１に記載のヘッドマウントディスプレイであって、
前記センサは、トグルセンサとして構成され、
前記制御ユニットは、前記トグルセンサがユーザの手を検出したときに、前記画像の表示状態を切り替える
ヘッドマウントディスプレイ。
【請求項１７】
請求項１６に記載のヘッドマウントディスプレイであって、
前記制御ユニットは、前記トグルセンサがユーザの手を検出したときに、前記基準モードと、前記基準モードよりも前記画像を強調させる強調モードと、前記基準モードよりも前記視野に表示させる画像の情報量を増加させる詳細モードとの間で表示状態を切り替える
ヘッドマウントディスプレイ。
【請求項１８】
請求項１６に記載のヘッドマウントディスプレイであって、
前記トグルセンサは、前記装着部を装着したユーザの両目の間の位置にある
ヘッドマウントディスプレイ。
【発明の詳細な説明】
【技術分野】
【０００１】
本技術は、ヘッドマウントディスプレイの操作性を向上させる構成に関する。
【背景技術】
【０００２】
近年、ユーザの実空間の視野を遮ることなく、ユーザに画像情報を提供可能なヘッドマウントディスプレイが注目されている。特許文献１には、透過型（シースルー型）のヘッドマウントディスプレイが開示されている。このヘッドマウントディスプレイは、ユーザの視野に高いコントラストの画像を表示することが可能である。
【先行技術文献】
【特許文献】
【０００３】
【特許文献１】特開２０１３−５２０１号公報
【発明の概要】
【発明が解決しようとする課題】
【０００４】
現在、ヘッドマウントディスプレイには、多岐にわたる用途への応用が期待されている。そのため、ヘッドマウントディスプレイには、ユーザが様々な環境において簡単に操作できるようにするために、高い操作性が求められる。【０００５】
以上のような事情に鑑み、本技術の目的は、ヘッドマウントディスプレイの操作性を向上させることにある。
【課題を解決するための手段】
【０００６】
上記目的を達成するため、本技術の一形態に係るヘッドマウントディスプレイは、装着部と表示部とセンサユニットと制御ユニットとを具備する。
上記装着部は、ユーザの頭部に装着可能に構成されている。
上記表示部は、上記装着部に設けられ、ユーザに実空間の視野を提供可能である。
上記センサユニットは、上記表示部の周縁部に設けられ、ユーザの動作に伴って近接又は接触する当該ユーザの手を検出可能なセンサを有し、当該センサの検出結果に応じた出力を行う。
上記制御ユニットは、上記視野に画像を表示し、センサユニットの出力の変化に基づいて上記画像の表示状態を変化させる。【０００７】
この構成によれば、ユーザは、目に映る画像の表示状態を変化させるための操作を、目の位置に対応する表示部の周縁部における手の動作によって行うことができるようになる。つまり、この構成では、ユーザが、画像の表示状態を、当該画像を見ている目の付近で操作することができるため、ユーザの自然な動作により直感的な操作が可能となる。【０００８】
上記制御ユニットは、上記センサユニットの検出結果に基づいて上記画像を強調させてもよい。【０００９】
具体的には、上記制御ユニットは、上記センサユニットの検出結果に基づいて上記画像を拡大してもよい。
また、上記制御ユニットは、上記センサユニットの検出結果に基づいて上記視野における上記画像のコントラストを高めてもよい。
さらに、上記制御ユニットは、上記画像の色を変化させることにより上記視野における上記画像のコントラストを高めてもよい。【００１０】
これらの構成によれば、ユーザは、ヘッドマウントディスプレイを使用する環境に応じて、画像が見にくい場合に、画像を見やすくすることが可能となる。【００１１】
上記制御ユニットは、優先度がそれぞれ付与された複数の画像を上記視野に表示可能であり、上記センサユニットの検出結果に基づいて優先度の高い上記画像を優先順位の低い上記画像よりも強調させてもよい。【００１２】
これらの構成によれば、ユーザは、より注目すべき画像を見やすくすることが可能となる。【００１３】
上記制御ユニットは、上記センサユニットの検出結果に基づいて上記視野に表示する画像の情報量を増加させてもよい。【００１４】
具体的には、上記制御ユニットは、各画像を縮小し、上記視野に表示する画像の情報量を増加さてもよい。【００１５】
これらの構成によれば、ユーザは、多くの情報が必要な場合に、得られる情報量を増大させることが可能となる。【００１６】
上記表示部は、可視光透過率を変更可能な光学フィルタを有してもよい。
上記制御ユニットは、上記センサユニットの検出結果に基づいて上記光学フィルタの可視光透過率を低下させてもよい。【００１７】
この構成によれば、ユーザは、表示される画像以外の可視光を制限することにより、画像を見やすくすることが可能である。【００１８】
上記制御ユニットは、上記センサユニットの検出結果に基づいて上記光学フィルタに可視光を遮断させてもよい。【００１９】
この構成によれば、ユーザは、視野に画像のみがある状態とすることにより、画像のみに集中することができるようになる。【００２０】
上記センサユニットは、複数のセンサを有し、前記複数のセンサにおけるユーザの手の検出状態に応じた出力を行ってもよい。
上記制御ユニットは、上記複数のセンサがいずれもユーザの手を検出していない基準モードにおける上記画像の表示状態を、上記基準モードからの上記センサユニットの出力の変化に基づいて変化させてもよい。【００２１】
この構成によれば、上記センサユニットが上記の検出状態に応じて複数種類の出力を行うことが可能となる。したがって、この構成では、ユーザが、画像の表示状態についての多岐にわたる操作を行うことができる。【００２２】
上記センサユニットは、上記検出状態が所定のパターンになる強調モードのとき、上記基準モードよりも上記画像を強調させてもよい。【００２３】
この構成によれば、ユーザは、より注目すべき画像を見やすくすることが可能となる。【００２４】
上記複数のセンサには、上記装着部を装着したユーザの両目の外側にそれぞれある一対のセンサが含まれてもよい。【００２５】
この構成によれば、上記センサユニットは、互いに離れた２つの位置に上記センサを有するため、ユーザの誤操作を抑制可能である。【００２６】
上記制御ユニットは、上記一対のセンサのいずれもユーザの手を検出していない第１の状態と、上記一対のセンサのいずれか一方がユーザの手を検出している第２の状態と、上記一対のセンサのいずれもユーザの手を検出している第３の状態とにおいて、上記第１の状態、上記第２の状態、上記第３の状態の順に、上記画像の強調の度合いを高くしてもよい。【００２７】
この構成によれば、ユーザが手で片目を覆うことにより画像が強調され、ユーザが手で両目を覆うことによりさらに画像が強調されるようになる。つまり、この構成では、ユーザが、外光を眩しく感じる場合などにおける目を手で覆う自然な動作によって段階的に画像を見やすくすることができる。【００２８】
上記制御ユニットは、上記検出状態が所定のパターンになる詳細モードのとき、上記基準モードよりも上記視野に表示する画像の情報量を増加させてもよい。【００２９】
この構成によれば、ユーザは、多くの情報が必要な場合に、得られる情報量を増大させることが可能となる。【００３０】
上記センサは、トグルセンサとして構成されてもよい。
上記制御ユニットは、上記トグルセンサがユーザの手を検出したときに、上記画像の表示状態を切り替えてもよい。【００３１】
この構成によれば、ユーザは、トグルセンサを操作することにより、画像の表示状態を切り替えることが可能となる。【００３２】
上記制御ユニットは、上記トグルセンサがユーザの手を検出したときに、上記基準モードと、上記基準モードよりも上記画像を強調させる強調モードと、上記基準モードよりも上記視野に表示させる画像の情報量を増加させる詳細モードとの間で表示状態を切り替えてもよい。【００３３】
この構成によれば、ユーザは、トグルセンサを操作することにより、あらかじめ決定された３つのモード間で画像の表示状態を自由に切り替えることが可能となる。【００３４】
上記トグルセンサは、上記装着部を装着したユーザの両目の間の位置にあってもよい。【００３５】
この構成によれば、トグルセンサが一般的な眼鏡のブリッジ部分にあるため、ユーザは眼鏡の傾きを修正する場合などにおける動作と同様の自然な動作によって画像の表示状態を操作可能となる。
【発明の効果】
【００３６】
以上のように、本技術によれば、ユーザのより自然な動作によって操作可能なヘッドマウントディスプレイを提供することができる。
【図面の簡単な説明】
【００３７】
【図１】本技術の第１の実施形態に係るヘッドマウントディスプレイシステムの概略を示した全体図である。
【図２】図１に示したヘッドマウントディスプレイシステムの概略を示したブロック図である。
【図３】図１に示したヘッドマウントディスプレイの装着部を拡大して示した斜視図である。
【図４】図３に示した表示部の概略構成を示した図である。
【図５Ａ】図３に示した装着部をユーザが装着した状態を示した正面図である。
【図５Ｂ】図５Ａに示した状態におけるユーザの視野を例示した図である。
【図６Ａ】第１の実施形態におけるユーザの操作の一例を示した正面図である。
【図６Ｂ】第１の実施形態におけるユーザの操作の一例を示した正面図である。
【図７Ａ】強調モードにおけるユーザの視野を例示した図である。
【図７Ｂ】強調モードにおけるユーザの視野を例示した図である。
【図７Ｃ】強調モードおけるユーザの視野を例示した図である。
【図７Ｄ】強調モードにおけるユーザの視野を例示した図である。
【図８Ａ】第１の実施形態におけるユーザの操作の一例を示した正面図である。
【図８Ｂ】第１の実施形態におけるユーザの操作の一例を示した正面図である。
【図９Ａ】詳細モードにおけるユーザの視野を例示した図である。
【図９Ｂ】詳細モードにおけるユーザの視野を例示した図である。
【図９Ｃ】詳細モードにおけるユーザの視野を例示した図である。
【図１０】その他の画像表示モードにおけるユーザの視野を例示した図である。
【図１１】図２に示した制御ユニットの機能を示したフローチャートである。
【図１２】第１の実施形態におけるユーザの操作の一例を示した正面図である。
【図１３】第１の実施形態におけるユーザの操作の一例を示した正面図である。
【図１４Ａ】本技術の第２の実施形態に係るヘッドマウントディスプレイの装着部をユーザが装着した状態を示した正面図である。
【図１４Ｂ】図１３Ａに示した状態におけるユーザの視野を例示した図である。
【図１５Ａ】第２の実施形態におけるユーザの操作の一例を示した正面図である。
【図１５Ｂ】図１４Ａに示した状態におけるユーザの視野を例示した図である。
【発明を実施するための形態】
【００３８】
以下、本技術に係る実施形態を、図面を参照しながら説明する。
【００３９】
＜第１の実施形態＞
［ヘッドマウントディスプレイシステムの構成］
図１は本技術の第１の実施形態に係るヘッドマウントディスプレイシステムの全体を示した概略図である。図２はヘッドマウントディスプレイシステムの概略構成を示したブロック図である。
【００４０】
本実施形態に係るヘッドマウントディスプレイシステムは、ヘッドマウントディスプレイ（以下、「ＨＭＤ」と略称する。）１００及び情報処理装置２００から構成される。ＨＭＤ１００は装着部１１０及び制御ユニット１２０から構成される。
【００４１】
（ＨＭＤ１００）
（１）装着部１１０
図３は装着部１１０を拡大して示した斜視図である。装着部１１０は、一般的な眼鏡と同様にユーザの頭部に着脱可能な構成を有している。具体的には、装着部１１０は、ユーザの耳に支持されて側頭部を両側から挟むテンプル１２Ｒ，１２Ｌと、テンプル１２Ｒ，１２Ｌ及びユーザの鼻に支持されてユーザの顔面に対向するリム部１１Ｒ，１１Ｌ，１１Ｃとを有する。テンプル１２Ｒ，１２Ｌ及びリム部１１Ｒ，１１Ｌ，１１Ｃは、装着部１１０のフレーム部を構成する。
【００４２】
リム部は、ユーザの右目の位置に対応する右リム１１Ｒと、ユーザの左目の位置に対応する左リム１１Ｌと、右リム１１Ｒと左リム１１Ｌとを連結するブリッジ１１Ｃとから構成される。
【００４３】
また、装着部１１０は、図２に示すように、表示部１１１及びセンサユニット１１２を有する。表示部１１１は、図３に示す、右表示部１１１Ｒ及び左表示部１１１Ｌから構成される。センサユニット１１２は、ユーザの手を検出可能なセンサ２１Ｒ、２２Ｒ，２３Ｒ，２１Ｌ，２２Ｌ，２３Ｌ，２４を有する。また、センサユニット１１２は、装着部１１０を装着したユーザの頭部の動きなどを検出するためにジャイロセンサ、地磁気センサ、角速度センサ及び加速度センサなどを含んでいてもよい。
【００４４】
表示部１１１の右表示部１１１Ｒ及び左表示部１１１Ｌは、それぞれユーザの右目及び左目に対向する位置に配置され、その周囲を右リム１１Ｒ及び左リム１１Ｌによって支持されている。
【００４５】
センサユニット１１２のセンサ２１Ｒ，２２Ｒ，２３Ｒは右リム１１Ｒに設けられ、センサ２１Ｌ、２２Ｌ，２３Ｌは左リム１１Ｌに設けられている。センサ２４はブリッジ１１Ｃに設けられている。センサ２１Ｒ，２１Ｌは、一対のセンサを構成し、それぞれテンプル１２Ｒ，１２Ｌに近接する部位に配置されている。センサ２２Ｒ，２２Ｌはそれぞれリム１１Ｒ，１１Ｌの上部に配置されている。センサ２３Ｒ，２３Ｌはそれぞれリム１１Ｒ，１１Ｌの下部に配置されている。
【００４６】
各センサ２１Ｒ、２２Ｒ，２３Ｒ，２１Ｌ，２２Ｌ，２３Ｌ，２４としては、近接又は接触する検出対象を検出する近接センサ又はタッチセンサが採用される。近接センサとしては、例えば、照度センサや静電容量式センサが挙げられる。タッチセンサとしては、例えば、抵抗膜式センサや表面弾性波式センサが挙げられ、更に押しボタン式スイッチを採用することもできる。本実施形態では、センサ２１Ｒ、２２Ｒ，２３Ｒ，２１Ｌ，２２Ｌ，２３Ｌは、照度センサとして構成され、例えば、ユーザの手の近接に伴う照度の低下を制御ユニット１２０に出力する。また、センサ２４は、抵抗膜式センサとして構成され、例えば、ユーザの手の接触に伴う電圧の変化を制御ユニット１２０に出力する。
【００４７】
図４は、装着部１１０の表示部１１１の構成を示した模式図である。表示部１１１は、その厚さ方向に可視光が透過可能であり、いわゆるシースルー型の構成を有している。表示部１１１Ｒ，１１１Ｌは、それぞれ、表示パネル２５Ｒ，２５Ｌ及び光学フィルタ２６Ｒ，２６Ｌから構成される。
【００４８】
表示パネル２５Ｒ及び表示パネル２５Ｌは、それぞれ、ＣＰＵ１２１からの入力信号に応じて画像光を形成する表示素子と、表示素子が形成した画像光をユーザの右目及び左目まで導く導光部材とによって構成可能である。これにより、表示パネル２５Ｒ，２５Ｌはユーザに画像を提示することができる。
【００４９】
本実施形態では、表示パネル２５Ｒ，２５Ｌの各表示素子は、液晶表示素子（ＬＣＤ：Ｌｉｑｕｉｄ  Ｃｒｙｓｔａｌ  Ｄｉｓｐｌａｙ）として構成される。各表示素子は、マトリクス状に配置された複数の画素と、発光ダイオード（ＬＥＤ：Ｌｉｇｈｔ  Ｅｍｉｔｔｉｎｇ  Ｄｉｏｄｅ）などからなる光源とを含む。表示素子は、光源が生成した光をＣＰＵ１２１からの入力信号に応じて各画素を変調して画像光とする。表示素子は、例えば、Ｒ（赤）、Ｇ（緑）、Ｂ（青）の各色に対応する画像光を個々に出射する３板方式を用いることができ、各色に対応する画像光を同時に出射する単板方式を用いることもできる。
【００５０】
表示パネル２５Ｒ，２５Ｌの導光部材は、表示素子が形成した画像光を、その内部で伝播させ、ユーザの目に対して出射するように構成されている。具体的には、導光部材は、その内部において光が全反射可能な透明部材や、特定の波長帯域の光を効率よく回折させることが可能なホログラム回折格子などから構成される。
【００５１】
図４では、表示パネル２５Ｒ及び表示パネル２５Ｌが、それぞれユーザの右目及び左目に画像光を出射することにより、ユーザに文字画像「ＡＢＣ」を提示している例を模式的に示している。また、図４では、ユーザの両目の視線Ｓ（Ｒ），Ｓ（Ｌ）が二点鎖線で示されている。
【００５２】
図４に示す例では、ユーザは、右目及び左目にそれぞれ入射する画像光を、両眼視差により、視線Ｓ（Ｒ），Ｓ（Ｌ）が交わる位置において単一の文字画像「ＡＢＣ」が表示されているように認識する。つまり、ユーザは、実空間における所定の距離だけ離れた位置に文字画像「ＡＢＣ」が表示されているように認識する。ＨＭＤ１００は、表示パネル２５Ｒ，２５Ｌにより、ユーザの視野の三次元空間における任意の位置に任意の大きさで画像を表示することができる。
【００５３】
光学フィルタ２６Ｒ，２６Ｌは、可視光の透過率を変化させることが可能な可変フィルタとして構成される。光学フィルタ２６Ｒ，２６Ｌは、可視光の透過率を０％から１００％まで連続的に変更可能な構成を用いることができ、可視光の透過率を、例えば、０％，５０％，１００％といった所定の値の間で切替可能な構成を用いることもできる。
【００５４】
さらに、光学フィルタ２６Ｒ，２６Ｌとして、液晶シャッターを用いることもできる。この場合、光学フィルタ２６Ｒ，２６Ｌは、可視光の透過率が１００％である透過状態と、可視光の透過率が０％である遮断状態とが切替可能に構成される。光学フィルタ２６Ｒ，２６Ｌの可視光の透過率が０％の場合、ユーザの視野は表示パネル２５Ｒ，２５Ｌによって表示された画像のみの状態となる。
【００５５】
（２）制御ユニット１２０
図１に示すように、制御ユニット１２０は、装着部１１０に接続されており、装着部１１０との間で通信を行うことが可能である。制御ユニット１２０と装着部１１０とは、有線で接続されていても、無線で接続されていてもよい。具体的には、制御ユニット１２０と装着部１１０とは、ＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（登録商標）等の各種通信規格に基づいて通信可能なように接続される。
【００５６】
制御ユニット１２０は、図２に示すように、ＣＰＵ（Ｃｅｎｔｒａｌ  Ｐｒｏｃｅｓｓｉｎｇ  Ｕｎｉｔ）１２１、通信デバイス１２２、入力ユニット１２３、音声出力ユニット１２４、メモリ１２５によって構成可能である。
【００５７】
ＣＰＵ１２１は、ＨＭＤ１００に関する各種演算処理を行い、ＨＭＤ１００の動作をつかさどる。そのため、ＣＰＵ１２１は、制御ユニット１２０内の各構成との間での信号の送受を行うとともに、装着部１１０と間での信号の送受も行う。例えば、ＣＰＵ１２１は、センサユニット１１２の出力により、各照度センサ２１Ｒ〜２３Ｌにおける照度の低下が所定の閾値より大きい場合に当該各センサがユーザの手を検出していると判断し、これに応じて表示部１１１を制御することができる。
【００５８】
通信デバイス１２２は、ＨＭＤ１００と情報処理装置２００との間での通信を行うために設けられている。ＨＭＤ１００と情報処理装置２００とは、有線で接続されていても、無線で接続されていてもよい。具体的には、通信デバイス１２２は、ＨＭＤ１００と情報処理装置２００とが、ＵＳＢ、Ｂｌｕｅｔｏｏｔｈ（登録商標）、Ｗｉ−Ｆｉ（登録商標）等の各種通信規格に基づいて通信可能なように接続される。
【００５９】
入力ユニット１２３は、図１に示すユーザの指による入力操作を受ける各種ボタンが設けられた操作部１２３ａや、ユーザの声などの音声情報が入力される音声入力部（マイク）１２３ｂなどによって構成されている。入力ユニット１２３は入力された情報に基づいた信号をＣＰＵ１２１に出力する。
【００６０】
音声出力ユニット１２４は、イヤホンやヘッドホンやスピーカなどとして構成される。音声出力ユニットは、ＣＰＵ１２１から入力された信号を音声として出力する。
【００６１】
メモリ１２５は、ＣＰＵ１２１の演算処理結果や情報処理装置２００から取得した情報を記憶する記憶部として構成され、その内容を適宜ＣＰＵに出力する。
【００６２】
（情報処理装置２００）
情報処理装置２００は、図２に示すように、ＣＰＵ２０１、通信デバイス２０２、入力ユニット２０３、音声出力ユニット２０４、メモリ２０５、表示部２０６、センサユニット２０７によって構成可能である。情報処理装置３００は、スマートフォンや携帯電話などの携帯情報端末として構成される。また、情報処理装置２００は、タブレット型コンピュータやラップトップ型コンピュータなど各種の情報処理装置として構成することも可能である。
【００６３】
ＣＰＵ２０１は、情報処理装置２００に関する各種演算処理を行い、情報処理装置２００の動作をつかさどる。通信デバイス２０２は、ＨＭＤ１００の制御ユニット１２０における通信デバイス１２２に対応し、ＨＭＤ１００と情報処理装置２００との間での通信が可能となるように構成されている。入力ユニット２０３は例えばタッチパネルディスプレイやマイクとして構成され、音声出力ユニット２０４は例えばスピーカとして構成される。メモリ２０５は、ＣＰＵ２０１の演算処理結果などを記憶する記憶部として構成される。表示部２０６は例えばタッチパネルディスプレイとして構成される。
【００６４】
センサユニット２０７には、ＧＰＳ（Ｇｌｏｂａｌ  Ｐｏｓｉｔｉｏｎｉｎｇ  Ｓｙｓｔｅｍ）が含まれる。また、センサユニット２０７には、ジャイロセンサ、地磁気センサ、角速度センサ及び加速度センサなどが含まれていてもよい。さらに、センサユニット２０７には、温度センサや湿度センサなどが含まれていてもよい。
【００６５】
センサユニット２０７は、各センサの検出結果に応じた信号をＣＰＵ２０１に出力する。ＣＰＵ２０１は、センサユニット２０７の出力に応じた情報を表示部２０６やＨＭＤ１００に出力する。これにより、情報処理装置２００は、位置、方角、気象などの様々な情報を得ることができる。
【００６６】
また、情報処理装置２００は、インターネットなどの通信手段により、ユーザが必要とする情報を取得することもできる。さらに、情報処理装置２００は、ＨＭＤ１００の要求に応じて情報を取得することもできる。したがって、ＨＭＤ１００は、前述したセンサユニット１１２のジャイロセンサ、地磁気センサ、角速度センサ及び加速度センサなどにより検出されたユーザの頭部の動きに応じた情報を情報処理装置２００から取得することも可能である。
【００６７】
［ヘッドマウントディスプレイシステムの機能］
（機能の概略）
ＨＭＤ１００では、装着部１１０を装着したユーザは、表示部１１１を介して目の前に広がる風景と、表示部１１１の表示パネル２５Ｒ，２５Ｌが形成する画像とを同時に見ることができる。
【００６８】
表示パネル２５Ｒ，２５Ｌは、例えば、情報処理装置２００が取得した情報に基づいて形成する。したがって、ＨＭＤ１００は、位置、方角、気象，ＲＳＳ（ＲＤＦ  ｓｉｔｅ  ｓｕｍｍａｒｙ）などの情報に基づく画像をユーザに提供することができる。また、表示パネル２５Ｒ，２５Ｌは、情報処理装置２００に格納されたアプリケーションの画面をユーザに提供することもできる。
【００６９】
さらに、ＨＭＤ１００は、ユーザの位置や、ユーザの向いている方角に応じた情報を、情報処理装置２００を介して取得し、当該情報に基づく画像をユーザに提供することもできる。これにより、ＨＭＤ１００では、表示部１１１を介して目の前に広がる風景と関連のある情報をユーザに提供することができる。
【００７０】
例えば、ユーザが商店街を歩いている場合、ＨＭＤ１００はその商店街に並ぶ店舗情報などをユーザに提供することができる。また、ユーザが道に迷っている場合に、ＨＭＤ１００は矢印などの画像を用いてユーザを道案内することもできる。さらに、ユーザがゴルフコースをまわっている場合に、ホールの番号や、当該ホールの基準打数（パー）や、グリーンまでの距離などの情報をユーザに提供することができる。
【００７１】
（画像表示モード）
本実施形態に係るＨＭＤ１００は、ユーザの視野における画像の表示状態が異なる複数の画像表示モードを有する構成とすることができる。具体的には、ＨＭＤ１００は、例えば、以下のような画像表示モードを有する構成とすることができる。
【００７２】
（１）基準モード
図５ＡはユーザがＨＭＤ１００の装着部１１０を装着した状態を示した正面図である。図５Ａに示す状態では、センサ２１Ｒ、２２Ｒ，２３Ｒ，２１Ｌ，２２Ｌ，２３Ｌ，２４に対して検出対象となるユーザの手が近接していない。このとき、センサ２１Ｒ、２２Ｒ，２３Ｒ，２１Ｌ，２２Ｌ，２３Ｌ，２４における照度の低下が所定の閾値以下である。したがって、いずれのセンサもユーザの手を検出しない。この場合に、ＨＭＤ１００における画像表示モードは基準モードとなる。
【００７３】
図５Ｂは基準モードにおけるユーザの視野Ｖを例示した図である。図５Ｂでは、説明の便宜上、ユーザの視野Ｖとして破線で囲んだ部分のみを示している。ユーザは、視野Ｖ内に、表示部１１１を透過して見える風景と、表示パネル２５Ｒ，２５Ｌによって形成された文字画像とを認識することができる。本例では、ＨＭＤ１００は、気象情報に基づく文字画像をユーザに提供している。
【００７４】
（２）強調モード
図６Ａ及び図６ＢはＨＭＤ１００におけるユーザの手による操作を例示した図である。図６Ａは、ユーザが、望遠鏡に模した手を覗き込む動作を行っている状態を示している。図６Ｂは、ユーザが、遠くを眺める際に額に手を掲げる動作を行っている状態を示している。図６Ａ及び図６Ｂにおけるユーザの動作は、いずれも見づらいものをよく見たい場合にユーザが直感的に行う自然な動作である。
【００７５】
図６Ａに示した状態では、センサ２１Ｒ，２２Ｒ，２３Ｒにユーザの手が近接している。したがって、センサ２１Ｒ，２２Ｒ，２３Ｒはユーザの手を検出する。一方、センサ２１Ｌ，２２Ｌ，２３Ｌにはユーザの手が近接していない。したがって、センサ２１Ｌ，２２Ｌ，２３Ｌはユーザの手を検出しない。また、図６Ｂに示した状態では、センサ２２Ｒがユーザの手を検出し、センサ２１Ｒ，２３Ｒ，２１Ｌ，２２Ｌ，２３Ｌがユーザの手を検出しない。これらの場合に、ＨＭＤ１００における画像表示モードは強調モードとなる。
【００７６】
図７Ａ〜図７Ｄは、強調モードにおけるユーザの視野Ｖを例示した図である。強調モードでは、図５Ｂに示す基準モードよりも、ユーザの視野Ｖにおいて画像が強調される。例えば、図７Ａ〜図７Ｄに示すように画像が強調される。
【００７７】
図７Ａに示す強調モードでは、図５Ｂに示す基準モードよりも画像が拡大されている。この場合、ユーザの視野Ｖに占める画像の割合が大きくなるため、画像が強調される。画像の大きさに制限はない。図７Ａに示すような文字画像が視野Ｖの幅に収まりきらない場合には、当該文字画像を右から左に繰り返しスクロールさせて表示することにより、ユーザが文字画像の情報を全て認識可能となる。
【００７８】
図７Ｂに示す強調モードでは、図５Ｂに示す基準モードよりも、背景色に対してコントラストが高くなるように画像が変更されている。具体的に、画像はその輝度や色が変更される。画像の色は単色である必要はなく、画像の各部分ごとに背景色対してコントラストの高い色とすることができる。さらに、画像の色のコントラストが高くなる背景色の位置に画像を移動させてもよい。
【００７９】
図７Ｃに示す強調モードでは、図５Ｂに示す基準モードよりも、画像が拡大され、かつ、背景色に対してコントラストが高くなるように画像の色が変更されている。つまり、図７Ｃにおける画像は、上記の図７Ａ及び図７Ｂにおける画像の強調手法が組み合わされて表示されている。したがって、図７Ｃにおける手法を用いることにより、より画像を強調することが可能である。
【００８０】
図７Ｄに示す強調モードでは、図５Ｂに示す基準モードよりも、画像の色のコントラストが高くなるように背景色が変更されている。画像の背景色は、画像全体にわたって変更することは必須ではなく、画像の一部の背景色のみを変更してもよい。また、画像の形状に沿って、画像の色に対してコントラストが高い色によって縁取りしてもよい。
【００８１】
以上のように、ＨＭＤ１００では、ユーザが画像をよく見たい場合に直感的に行う自然な動作によって強調モードとなる。そして、画像が強調されることにより、ユーザが画像を見やすくなる。したがって、ＨＭＤ１００では、ユーザが、直感的な動作によって、画像を見やすくすることができる。
【００８２】
なお、以上の説明では、ユーザが右手で動作する場合について説明したが、ＨＭＤ１００では、ユーザが左手で動作する場合も右手で動作する場合と同様である。つまり、センサ２１Ｌ，２２Ｌ，２３Ｌがユーザの手を検出し、センサ２１Ｒ，２２Ｒ，２３Ｒがユーザの手を検出しない場合や、センサ２２Ｌがユーザの手を検出し、センサ２１Ｒ，２２Ｒ，２３Ｒ，２１Ｌ，２３Ｌがユーザの手を検出しない場合にも、ＨＭＤ１００における画像表示モードは強調モードとなる。
【００８３】
また、画像表示モードを強調モードに変更するためのユーザの動作は、図６Ａ及び図６Ｂに示した動作に限定されないが、ユーザが画像をよく見たい場合に直感的に行う動作であることが望ましい。また、強調モードにおける画像の表示状態は、図７Ａ〜図７Ｄに示した例に限定されない。例えば、ＨＭＤ１００は、強調モードにおいて、上述した両眼視差を利用して、ユーザが画像をより近く認識するように構成されてもよい。
【００８４】
（３）詳細モード
図８Ａ及び図８ＢはＨＭＤ１００におけるユーザの手による操作を例示した図である。図８Ａは、ユーザが、片目を覆う動作を行っている状態を示している。図８Ｂは、ユーザが、両目を覆う動作を行っている状態を示している。図８Ａ及び図８Ｂにおけるユーザの動作は、いずれも画像に集中して多くの情報を得たい場合にユーザが直感的に行う自然な動作である。より詳細には、図８Ｂに示す動作は、図８Ａに示す動作よりもさらに多くの情報を得たい場合にユーザが行う動作である。
【００８５】
図８Ａに示した状態では、センサ２１Ｌ，２２Ｌがユーザの手を検出し、センサ２１Ｒ，２２Ｒ，２３Ｒ，２３Ｌがユーザの手を検出しない。また、図６Ｂに示した状態では、センサ２２Ｒ，２１Ｒ，２３Ｒ，２１Ｌ，２２Ｌ，２３Ｌのいずれもユーザの手を検出しない。これらの場合に、ＨＭＤ１００における画像表示モードは詳細モードとなる。
【００８６】
図９Ａ〜図９Ｃは、詳細モードにおけるユーザの視野Ｖを例示した図である。詳細モードでは、基準モードよりも、ユーザの視野Ｖ内における画像の情報量（画像によってユーザに提供される情報の量）が増加する。例えば、図９Ａ〜図９Ｃに示すように画像の情報量が増加する。
【００８７】
図９Ａは、図８Ａに示す動作に対応する詳細モードにおけるユーザの視野Ｖを示している。図９Ａに示す詳細モードでは、図５Ｂに示す基準モードよりも、ユーザの視野Ｖに表示される画像の情報量が増加している。具体的には、図９Ａに示すユーザの視野Ｖには、図５Ｂに示すユーザの視野Ｖよりも多くの気象情報が提供されている。表示部１１１は、図９Ａに示す状態では、画像を表示する領域を広くし、かつ、表示する文字画像の量を増加させることにより、画像の情報量を増加させている。さらに、表示部１１１は、各画像（各文字）を縮小することにより、表示する文字画像の量を増加させることもできる。
【００８８】
以上のように、ＨＭＤ１００では、ユーザが多くの情報を得たい場合に直感的に行う自然な動作によって詳細モードとなる。そして、画像の情報量が増加することにより、ユーザは多くの情報が得られるようになる。このように、ＨＭＤ１００では、ユーザが、直感的な動作によって、多くの情報を得ることができる。なお、図９Ａでは、ユーザの視野Ｖに気象情報が提供されているが、図５Ａに示す基準モードでＲＳＳが表示される場合における詳細モードでは、ユーザの視野ＶにＲＳＳの本文の詳細情報が提供されてもよい。
【００８９】
また、図９Ａに示す詳細モードでは、図４に示す光学フィルタ２６Ｒ，２６Ｌにおける可視光の透過率が５０％とされている。したがって、図９Ａに示す詳細モードでは、ユーザの視野Ｖにおける表示部１１１を透過して見える風景が暗くなる。これにより、ユーザの視野Ｖにおける画像以外の情報量が減少するため、ユーザはより画像を集中して見ることができるようになる。
【００９０】
図９Ｂは、図８Ｂに示す動作に対応する詳細モードにおけるユーザの視野Ｖを示している。図９Ｂに示す詳細モードでは、図９Ａに示す詳細モードと同様に、ユーザの視野Ｖに表示される画像の情報量が増加している。さらに、図９Ｂに示す詳細モードでは、図４に示す光学フィルタ２６Ｒ，２６Ｌにおける可視光の透過率が０％とされている。つまり、図９Ｂに示す詳細モードでは、ユーザの視野に画像のみが提供される。これにより、ユーザは、図９Ａに示す詳細モードよりもさらに画像を集中して見ることができるようになる。
【００９１】
図９Ａに示す詳細モードと図９Ｂに示す詳細モードとでは、光学フィルタ２６Ｒ，２６Ｌにおける可視光の透過率が異なり、ユーザはこれらを別の画像表示モードとして使い分けることができる。ＨＭＤ１００では、図９Ｂに示す詳細モードにするために、ユーザは両目の外側の位置にあるセンサ２１Ｒ，２１Ｌを含む全てのセンサを手で覆う必要がある。つまり、ユーザは、センサ２１Ｒと、当該センサ２１Ｒから最も遠い位置にあるセンサ２１Ｌとを同時に覆わない限り、図９Ｂに示す詳細モードにはならない。したがって、ＨＭＤ１００では、誤操作が防止される。
【００９２】
図９Ｃは、図９Ｂの変形例を示している。図９Ｃに示す詳細モードでは、光学フィルタ２６Ｒ，２６Ｌにおける可視光の透過率が１００％である。ＨＭＤ１００が、表示部１１１を透過して見える風景が画像の表示を妨げない環境で用いられる場合などには、光学フィルタ２６Ｒ，２６Ｌによって可視光の透過率を制限する必要がない。このような場合には、ＨＭＤ１００は、光学フィルタ２６Ｒ，２６Ｌを省略した構成も採用可能である。
【００９３】
なお、以上の説明では、ユーザが左手で動作する場合について説明したが、ＨＭＤ１００では、ユーザが右手で動作する場合も左手で動作する場合と同様である。つまり、センサ２１Ｒ，２２Ｒがユーザの手を検出し、センサ２３Ｒ，２１Ｌ，２２Ｌ，２３Ｌがユーザの手を検出しない場合にも、ＨＭＤ１００における画像表示モードは図９Ａに示す強調モードとなる。
【００９４】
（４）その他の画像表示モード
ＨＭＤ１００は、上述した基準モード、強調モード、詳細モード以外にも、ユーザの視野Ｖにおける画像の表示状態を規定する任意の画像表示モードを有する構成とすることができる。例えば、その他の画像表示モードとしては、強調モードとは反対に画像の輝度を低下させて目に疲労を与えにくいモードや、詳細モードとは反対に画像の情報量を減少させて風景を見やすくするモードなどがある。
【００９５】
図１０は、その他の画像表示モードの一例を示している。図１０に示す画像表示モードでは、画像の表示が基準モードと同様であるものの、光学フィルタ２６Ｒ，２６Ｌにおける可視光の透過率が０％である。つまり、図１０に示す画像表示モードでは、ユーザの視野に画像のみが提供される。この画像表示モードは、ユーザの視野Ｖが明るすぎて画像が見づらいときなどに有効である。
【００９６】
（画像表示モードの切り替え）
ＨＭＤ１００では、各画像表示モードが、センサユニット１１２の検出状態のパターン（以下、単に「パターン」ともいう。）に関連付けられる。本実施形態では、センサユニット１１２の検出状態として、センサ２１Ｒ、２２Ｒ，２３Ｒ，２１Ｌ，２２Ｌ，２３Ｌ，２４のうち、ユーザの手を検出しているセンサと、ユーザの手を検出していないセンサとの組み合わせを採用している。つまり、ＨＭＤ１００の制御ユニット１２０は、センサユニット１１２によって上記の組み合わせのパターンに応じた出力がなされると、表示部１１１によってセンサユニット１１２の出力に応じて画像表示モードを決定するように構成されている。
【００９７】
図１１はＨＭＤ１００の制御ユニット１２０における画像表示モードの切替動作の一例を示したフローチャートである。図１１では、ＨＭＤ１００が、「ｍｏｄｅ０」、「ｍｏｄｅ１」、「ｍｏｄｅ２」の３つの画像表示モードを有し、センサユニット１１２のパターンＡが「ｍｏｄｅ１」に関連付けられ、センサユニット１１２のパターンＢが「ｍｏｄｅ２に関連付けられている。
【００９８】
図１１に示すように、制御ユニット１２０は、まず、センサユニット１１２のパターンがパターンＡであるかを判断する。制御ユニット１２０は、センサユニット１１２のパターンがパターンＡである場合に画像表示モードをｍｏｄｅ１とし、センサユニット１１２のパターンがパターンＡでない場合には、さらにセンサユニット１１２のパターンがパターンＢであるかを判断する。制御ユニット１２０は、センサユニット１１２のパターンがパターンＢである場合に画像表示モードをｍｏｄｅ２とし、センサユニット１１２のパターンがパターンＢでない場合に画像表示モードをｍｏｄｅ０とする。
【００９９】
図１１を上記の例に当てはめて説明すると、「ｍｏｄｅ０」が「基準モード」に該当し、「ｍｏｄｅ１」が「強調モード」に該当し、「ｍｏｄｅ２」が「詳細モード」に該当する。そして、センサユニット１１２のパターンＡは、例えば、ユーザの手を検出するセンサがセンサ２１Ｒ，２２Ｒ，２３Ｒであり、ユーザの手を検出しないセンサがセンサ２１Ｌ，２２Ｌ，２３Ｌであるパターンである。センサユニット１１２のパターンＢは、例えば、センサ２１Ｒ，２２Ｒ，２３Ｒ，２１Ｌ，２２Ｌ，２３Ｌがユーザの手を検出しているパターンである。
【０１００】
図１２はＨＭＤ１００におけるユーザの手による操作を例示した図である。図１２は、ユーザが、装着部１１０のテンプル１１Ｃに指を添える動作を行っている状態を示している。図１２におけるユーザの動作は、眼鏡の傾きを修正して視野を再確認する場合に直感的に行う自然な動作である。このとき、ユーザの指はセンサ２４に接触している。
【０１０１】
ＨＭＤ１００のセンサ２４は、タッチ式のトグルセンサとして構成される。ユーザは、トグルセンサ２４に触れるたびに画像の表示状態を、あらかじめ規定された画像表示モードの間で切り替えることが可能である。例えば、制御ユニット１２０は、画像表示モードが「基準モード」の場合、ユーザがトグルセンサ２４に１回触れると画像表示モードを「強調モード」に切り替え、ユーザがトグルセンサ２４に２回触れると画像表示モードを「詳細モード」に切り替える。
【０１０２】
図１３は、トグルセンサ２４による操作を受ける場合における制御ユニット１２０の動作の概略を示した図である。図１３における「休止モード」とはトグルセンサ２４によるユーザの操作が無効になっている状態で、「動作モード」とはトグルセンサ２４によるユーザの操作が有効になっている状態を示している。
【０１０３】
ＨＭＤ１００では、例えば、ユーザがトグルセンサ２４に３秒間触れ続けると、「休止モード」から「動作モード」に切り替わる。そして、再びユーザがトグルセンサ２４に３秒間触れ続けると、「動作モード」から「休止モード」に切り替わる。ＨＭＤ１００における「休止モード」と「動作モード」との切り替え手法はこれに限られない。
【０１０４】
ＨＭＤ１００が「動作モード」になると、まず画像表示モードが「ｍｏｄｅ０」となる。そして、「動作モード」では、ユーザがトグルセンサ２４に触れる度に「ｍｏｄｅ０」、「ｍｏｄｅ１」、「ｍｏｄｅ２」、「ｍｏｄｅ０」・・・の順番に画像表示モードが切り替わる。したがって、ユーザは、トグルセンサ２４を操作することにより、自由に画像表示モードを選択することができる。
【０１０５】
このように、ＨＭＤ１００では、トグルセンサ２４を用いることにより、ユーザが視野を再確認したい場合に直感的に行う自然な動作によって画像表示モードを切り替えることができる。したがって、ＨＭＤ１００では、ユーザが、直感的な動作によって、画像表示モードを選択することができる。
【０１０６】
以上述べたように、本実施形態に係るＨＭＤ１００では、ユーザの動作を検知するカメラなどの複雑な構成を用いることなく、簡単な構成によりユーザの直感的な動作による操作を可能にしている。したがって、ＨＭＤ１００では、軽量化が実現されるとともに、低コスト化が実現される。
【０１０７】
＜第２の実施形態＞
本技術の第２の実施形態に係るヘッドマウントディスプレイシステムは、第１の実施形態に係るヘッドマウントディスプレイシステムと画像の表示モードのみが異なる。したがって、以下、第１の実施形態に係るヘッドマウントディスプレイシステムの構成を前提とし、各構成の符号は第１の実施形態と同様とする。
【０１０８】
図１４Ａは、本実施形態に係るＨＭＤの装着部１１０をユーザが装着した状態を示した正面図である。図１４Ａに示す状態では、センサ２１Ｒ、２２Ｒ，２３Ｒ，２１Ｌ，２２Ｌ，２３Ｌ，２４に対して検出対象となるユーザの手が近接していない。したがって、いずれのセンサもユーザの手を検出しない。この場合に、ＨＭＤにおける画像表示モードは、第１の実施形態に係る図５Ａに示す状態と同様に基準モードとなる。
【０１０９】
図１４Ｂは基準モードにおけるユーザの視野Ｖを例示した図である。図１４Ｂでは、説明の便宜上、ユーザの視野Ｖとして破線で囲んだ部分のみを示している。図１４Ｂは、ユーザがゴルフを行っている状態を示しており、したがって表示部１１１を透過して見える風景はゴルフ場である。ユーザは、視野Ｖ内に、グリーンとバンカーとを含む風景を認識することができる。
【０１１０】
本実施形態では、ＨＭＤが情報処理装置２００を介してゴルフコースの情報を取得している。図１４Ｂでは、ユーザの視野Ｖにおけるグリーンに隣接する位置にグリーンまでの距離を示す文字画像が表示され、ユーザの視野Ｖにおけるバンカーに隣接する位置にバンカーまでの距離を示す文字画像が表示されている。さらに、ユーザの視野Ｖには、ホールの番号や、当該ホールの基準打数（パー）などの情報に基づく文字画像が表示されていてもよい。
【０１１１】
このように、ユーザの視野Ｖに複数の画像を表示する場合、本実施形態に係るＨＭＤでは各画像に優先度が付与される。各画像の優先度は、ＨＭＤの制御ユニット１２０によって付与されても、情報処理端末２００によってあらかじめ付与されていてもよい。
【０１１２】
図１５Ａは、本実施形態に係るＨＭＤにおけるユーザの手による操作を例示した図である。図１５Ａは、ユーザが、遠くを眺める際に額に手を掲げる動作を行っている状態を示している。図１５Ａにおけるユーザの動作は、次のショットでどこを狙ってボールを打つかを考える場合にユーザが直感的に行う自然な動作である。
【０１１３】
図１５Ａに示した状態では、センサ２２Ｒがユーザの手を検出し、センサ２１Ｒ，２３Ｒ，２１Ｌ，２２Ｌ，２３Ｌがユーザの手を検出しない。この場合、図６Ｂに示した状態と同様に強調モードとなる。
【０１１４】
図１５Ｂは、強調モードにおけるユーザの視野Ｖを例示した図である。強調モードでは、ユーザの視野Ｖにおいて優先度の高い画像が優先度の低い画像よりも強調される。具体的には、図１５Ｂに示す状態では、グリーンまでの距離がまだ遠いため、ユーザはバンカーの位置に注意を向ける。つまり、「グリーンまでの距離」を示す画像の優先度よりも「バンカーまでの距離」を示す画像の優先度が高い。したがって、図１５Ｂでは、「バンカーまでの距離」を示す画像が「グリーンまでの距離」を示す画像よりも大きく強調されて表示されている。
【０１１５】
さらに、本実施形態に係るＨＭＤでは、強調モードにおいて、優先度の高い画像における情報量を増加させる。具体的には、図１５Ｂにはバンカーの最近部までの距離とバンカーの最遠部までの距離とを示す文字画像が表示されている。これにより、ユーザは、当該情報を元に、次のショットで、バンカーの手前の位置を狙ってボールを打つか、バンカーを超える位置を狙ってボールを打つかを考えることができるようになる。
【０１１６】
以上、本発明の実施形態について説明したが、本発明は上述の実施形態にのみ限定されるものではなく、本発明の要旨を逸脱しない範囲内において種々変更を加え得ることは勿論である。
【０１１７】
例えば、上述した実施形態では、表示部がユーザの両目に対応して設けられているＨＭＤについて説明したが、本技術は表示部がユーザの片目のみに対応して設けられているＨＭＤにも適用することが可能である。つまり、表示部がひとつのみであっても、表示部を保持するリム部にセンサを設けることにより、上述の実施形態と同様にユーザが直感的な動作によって、画像の表示状態を変化させる操作を行うことができる。
【０１１８】
また、上述した実施形態では、シースルー型のＨＭＤについて説明したが、本技術はビデオスルー型のＨＭＤにも適用することができる。この場合、ＨＭＤには外部を撮影するビデオカメラが設けられるが、その他のシースルー型のＨＭＤと同様に構成することができる。
【０１１９】
さらに、本実施形態に係るＨＭＤは、装着部と制御ユニットとが別体となる構成であるが、装着部と制御ユニットとを一体となる構成を採用してもよい。この場合、制御ユニットの機能が装着部に盛り込まれる。これにより、ユーザは、ハンズフリーでＨＭＤを操作可能となる。さらに、ヘッドマウントディスプレイシステムは、装着部に、制御ユニットの機能に加えて、情報処理装置の機能を盛り込んだ構成を有していてもよい。
【０１２０】
なお、本技術は以下のような構成も採ることができる。
（１）
ユーザの頭部に装着可能に構成された装着部と、
上記装着部に設けられ、ユーザに実空間の視野を提供可能な表示部と、
上記表示部の周縁部に設けられ、ユーザの動作に伴って近接又は接触する当該ユーザの手を検出可能なセンサを有し、当該センサの検出結果に応じた出力を行うセンサユニットと、
上記視野に画像を表示し、センサユニットの出力の変化に基づいて上記画像の表示状態を変化させる制御ユニットと
を具備するヘッドマウントディスプレイ。
（２）
上記（１）に記載のヘッドマウントディスプレイであって、
上記制御ユニットは、上記センサユニットの検出結果に基づいて上記画像を強調させる
ヘッドマウントディスプレイ。
（３）
上記（２）に記載のヘッドマウントディスプレイであって、
上記制御ユニットは、上記センサユニットの検出結果に基づいて上記画像を拡大する
ヘッドマウントディスプレイ。
（４）
上記（２）又は（３）に記載のヘッドマウントディスプレイであって、
上記制御ユニットは、上記センサユニットの検出結果に基づいて上記視野における上記画像のコントラストを高める
ヘッドマウントディスプレイ。
（５）
上記（４）に記載のヘッドマウントディスプレイであって、
上記制御ユニットは、上記画像の色を変化させることにより上記視野における上記画像のコントラストを高める
ヘッドマウントディスプレイ。
（６）
上記（２）から（５）のいずれか１つに記載のヘッドマウントディスプレイであって、
上記制御ユニットは、優先度がそれぞれ付与された複数の画像を上記視野に表示可能であり、上記センサユニットの検出結果に基づいて優先度の高い上記画像を優先順位の低い上記画像よりも強調させる
ヘッドマウントディスプレイ。
（７）
上記（１）から（６）のいずれか１つに記載のヘッドマウントディスプレイであって、
上記制御ユニットは、上記センサユニットの検出結果に基づいて上記視野に表示する画像の情報量を増加させる
ヘッドマウントディスプレイ。
（８）
上記（７）に記載のヘッドマウントディスプレイであって、
上記制御ユニットは、各画像を縮小し、上記視野に表示する画像の情報量を増加させる
ヘッドマウントディスプレイ。
（９）
上記（１）から（８）のいずれか１つに記載のヘッドマウントディスプレイであって、
上記表示部は、可視光透過率を変更可能な光学フィルタを有し、
上記制御ユニットは、上記センサユニットの検出結果に基づいて上記光学フィルタの可視光透過率を低下させる
ヘッドマウントディスプレイ。
（１０）
上記（９）に記載のヘッドマウントディスプレイであって、
上記制御ユニットは、上記センサユニットの検出結果に基づいて上記光学フィルタに可視光を遮断させる
ヘッドマウントディスプレイ。
（１１）
上記（１）から（１０）のいずれか１つに記載のヘッドマウントディスプレイであって、
上記センサユニットは、複数のセンサを有し、前記複数のセンサにおけるユーザの手の検出状態に応じた出力を行い、
上記制御ユニットは、上記複数のセンサがいずれもユーザの手を検出していない基準モードにおける上記画像の表示状態を、上記基準モードからの上記センサユニットの出力の変化に基づいて変化させる
ヘッドマウントディスプレイ。
（１２）
上記（１１）に記載のヘッドマウントディスプレイであって、
上記センサユニットは、上記検出状態が所定のパターンになる強調モードのとき、上記基準モードよりも上記画像を強調させる
ヘッドマウントディスプレイ。
（１３）
上記（１１）又は（１２）に記載のヘッドマウントディスプレイであって、
上記複数のセンサには、上記装着部を装着したユーザの両目の外側にそれぞれある一対のセンサが含まれる
ヘッドマウントディスプレイ。
（１４）
上記（１３）に記載のヘッドマウントディスプレイであって、
上記制御ユニットは、上記一対のセンサのいずれもユーザの手を検出していない第１の状態と、上記一対のセンサのいずれか一方がユーザの手を検出している第２の状態と、上記一対のセンサのいずれもユーザの手を検出している第３の状態とにおいて、上記第１の状態、上記第２の状態、上記第３の状態の順に、上記画像の強調の度合いを高くする
ヘッドマウントディスプレイ。
（１５）
上記（１１）から（１４）に記載のヘッドマウントディスプレイであって、
上記制御ユニットは、上記検出状態が所定のパターンになる詳細モードのとき、上記基準モードよりも上記視野に表示する画像の情報量を増加させる
ヘッドマウントディスプレイ。
（１６）
上記（１）から（１５）に記載のヘッドマウントディスプレイであって、
上記センサは、トグルセンサとして構成され、
上記制御ユニットは、上記トグルセンサがユーザの手を検出したときに、上記画像の表示状態を切り替える
ヘッドマウントディスプレイ。
（１７）
上記（１６）に記載のヘッドマウントディスプレイであって、
上記制御ユニットは、上記トグルセンサがユーザの手を検出したときに、上記基準モードと、上記基準モードよりも上記画像を強調させる強調モードと、上記基準モードよりも上記視野に表示させる画像の情報量を増加させる詳細モードとの間で表示状態を切り替える
ヘッドマウントディスプレイ。
（１８）
上記（１６）又は（１７）に記載のヘッドマウントディスプレイであって、
上記トグルセンサは、上記装着部を装着したユーザの両目の間の位置にある
ヘッドマウントディスプレイ。
【符号の説明】
【０１２１】
１００…ヘッドマウントディスプレイ（ＨＭＤ）
１１０…装着部
１１１…表示部
１１２…センサユニット
１２０…制御ユニット
２１Ｒ，２２Ｒ，２３Ｒ，２１Ｌ，２２Ｌ，２３Ｌ，２４…センサ
【図１】
2014128809.tif 000003
【図２】
2014128809.tif 000004
【図３】
2014128809.tif 000005
【図４】
2014128809.tif 000006
【図５Ａ】
2014128809.tif 000007
【図６Ａ】
2014128809.tif 000008
【図６Ｂ】
2014128809.tif 000009
【図７Ｂ】
2014128809.tif 000010
【図７Ｃ】
2014128809.tif 000011
【図７Ｄ】
2014128809.tif 000012
【図８Ａ】
2014128809.tif 000013
【図８Ｂ】
2014128809.tif 000014
【図１１】
2014128809.tif 000015
【図１２】
2014128809.tif 000016
【図１３】
2014128809.tif 000017
【図１４Ａ】
2014128809.tif 000018
【図１４Ｂ】
2014128809.tif 000019
【図１５Ａ】
2014128809.tif 000020
【図１５Ｂ】
2014128809.tif 000021
【図５Ｂ】
2014128809.tif 000022
【図７Ａ】
2014128809.tif 000023
【図９Ａ】
2014128809.tif 000024
【図９Ｂ】
2014128809.tif 000025
【図９Ｃ】
2014128809.tif 000026
【図１０】
2014128809.tif 000027
【国際調査報告】
2014128809.tif 000028
2014128809.tif 000029
2014128809.tif 000030
2014128809.tif 000031